(57)【特許請求の範囲】
【請求項１】
断熱壁とこの断熱壁の両側に取り付けられた側板とにより囲繞される空間に陳列室を構成して成るオープンショーケースにおいて、
前記側板は、補強板と、この補強板を挟むかたちで重合された透明な外側板及び内側板とから構成され、これら外側板及び内側板は前記補強板に固定され、且つ、それらの縁部が相互に固着されると共に、前記外側板及び内側板間には空気層が形成されており、
前記断熱壁の下部には機械室が構成され、前記補強板と外側板間には上下に貫通した間隔が構成されてこの間隔はダクトとされると共に、このダクトは、下部が前記機械室内に連通し、上部は前記外側板表面に向けて開口する吐出口に連通していることを特徴とするオープンショーケース。
【請求項２】
前記内側板には棚受けを一体に形成したことを特徴とする請求項１のオープンショーケース。
【発明の詳細な説明】
【０００１】
【発明の属する技術分野】
本発明は、断熱壁とこの断熱壁の両側に取り付けられた側板とにより囲繞される空間に陳列室を構成して成るオープンショーケースに関するものである。
【０００２】
【従来の技術】
従来よりこの種オープンショーケースは、例えば特開平５−３０６８７５号公報に示されている。即ち、この種オープンショーケースは、スーパーマーケットやコンビニエンスストアなどの店舗に据え付けられており、前記公報に示される如く、断熱壁内に前面に開口する陳列室を構成し、この陳列室内に複数段の棚を架設して商品を陳列している。そして、この陳列室の前面開口には冷気エアーカーテンを形成すると共に、一部を陳列室内に循環させて当該陳列室内を冷凍若しくは冷蔵温度に冷却していた。
【０００３】
特に、近年ではコンビニエンスストアの進展に伴い、栄養ドリンク剤などの一本が比較的小容量の飲料を各種まとめて一台のオープンショーケース内に陳列することにより、販売促進を図る例が増えている。
【０００４】
しかしながら、従来では前記公報に示される如くコンビニエンスストアの床面に据え付けられるオープンショーケース内に飲料を陳列していた。ところが、この種飲料の販売にはレジカウンタの近傍に陳列した方が有利であることは従来より知られている。
【０００５】
【発明が解決しようとする課題】
そこで、レジカウンタ上に陳列室の前面にエアーカーテンを形成したオープンショーケースを載置することが考えられるが、係るオープンショーケースでは、エアーカーテンを形成する冷気によって、ガラス板によって構成される側板に結露が生じ、係る結露によって顧客等の衣服が汚れてしまう問題や、レジカウンタ上まで汚してしまう問題があった。
【０００６】
本発明は、係る従来の技術的課題を解決するために成されたものであり、店舗のカウンタ上に据え付けるのに好適なオープンショーケースを提供するものである。
【０００７】
【課題を解決するための手段】
本発明のオープンショーケースは、断熱壁とこの断熱壁の両側に取り付けられた側板とにより囲繞される空間に陳列室を構成して成るものであって、側板は、補強板と、この補強板を挟むかたちで重合された透明な外側板及び内側板とから構成され、これら外側板及び内側板は補強板に固定され、且つ、それらの縁部が相互に固着されると共に、外側板及び内側板間には空気層が形成されており、断熱壁の下部には機械室が構成され、補強板と外側板間には上下に貫通した間隔が構成されてこの間隔はダクトとされると共に、このダクトは、下部が機械室内に連通し、上部は外側板表面に向けて開口する吐出口に連通していることを特徴とする。
【０００８】
本発明によれば、断熱壁とこの断熱壁の両側に取り付けられた側板とにより囲繞される空間に陳列室を構成して成るオープンショーケースにおいて、側板は、補強板と、この補強板を挟むかたちで重合された透明な外側板及び内側板とからの簡単な構成とされているため、側板の組立作業性を向上させることができる。
【０００９】
また、本発明は上記に加えて、これら外側板及び内側板は補強板に固定され、且つ、それらの縁部が相互に固着されると共に、外側板及び内側板間には空気層が形成されているので、側板の強度を向上させることができると共に、外側板及び内側板間に形成された空気層により断熱性を向上させることができ、更に、側板に結露が生じることを未然に防止することができる。
【００１０】
更に、本発明では断熱壁の下部には機械室が構成されると共に、外側板の内側にはダクトが構成され、このダクトは、下部が機械室内に連通し、上部は外側板表面に向けて開口する吐出口に連通しているので、機械室に配設される圧縮機や凝縮器の廃熱をダクトを介して吐出口から外側板表面に廃棄することができる。
【００１１】
これにより、外側板表面に生じる結露を防止するために特別に電気ヒータを設けることなく機械室から排出される廃熱を利用して外側板表面の結露防止を行うことができるようになる。
【００１２】
特に、本発明では補強板と外側板間に上下に貫通した間隔を構成し、この間隔を前記ダクトとしたので、間隔内に着色した短冊状の板や広告表示を施した短冊状パネルを挿入することによって外観や販売効果の向上を図ることができると共に、側板のカラーバリエーションを構成することができるようになる。
【００１３】
請求項２の発明のオープンショーケースは、上記に加えて内側板には棚受けを一体に形成したことを特徴とする。
【００１４】
請求項２の発明によれば、上記に加えて内側板には棚受けを一体に形成したので、簡単な構成にて陳列室内の棚の架設を行うことができるようになる。
【００１５】
【発明の実施の形態】
以下、図面に基づき本発明の実施の形態を詳述する。図１は本発明を適用した実施例としてのオープンショーケース１の正面図、図２はオープンショーケース１の側面図、図３はオープンショーケース１の背面図、図４は後パネル２を外した状態のオープンショーケース１の背面図、図５はオープンショーケース１の縦断側面図をそれぞれ示している。
【００１６】
オープンショーケース１は、例えばコンビニエンスストアのレジカウンタＣ（図１５）上に載せて設置される卓上オープンショーケースであり、底部のユニットベース３上に取り付けられた断熱壁４と、この断熱壁４の上側に取り付けられた硬質樹脂製の底板６と、ユニットベース３の左右に立設された側板７、７と、これら側板７、７の上端間に架設された天板８と、これら底板６、側板７、７及び天板８の後縁で囲繞される後面の開口９を開閉自在に閉塞する扉１１などから構成され、これら扉１１、天板８、側板７、７及び底板６で囲繞される空間を前面に開口（１２）した陳列室１３としている。
【００１７】
そして、前記断熱壁４の下側のユニットベース３内空間を機械室１４としている。また、１６はユニットベース３の左右に取り付けられた補強用のアングルである。
【００１８】
前記断熱壁４は前部が低く後部が高い階段形状を呈しており、それによって前部に低位部４Ａが、後部に高位部４Ｂが構成されている。この低位部４Ａは後方に低く緩やかに傾斜しており、高位部４Ｂは前方に低く緩やかに傾斜している。また、これら高位部４Ｂと低位部４Ａを結ぶ縦壁部４Ｃは上部が少許後退した傾斜壁とされている。
【００１９】
そして、底板６は係る断熱壁４の低位部４Ａ、高位部４Ｂ及び縦壁部４Ｃと間隔を存して当該断熱壁４及びユニットベース３に被さるように取り付けられており、これによって同様の前部の低位部６Ａ、後部の高位部６Ｂ及びそれらの間の縦壁部６Ｃとが構成されている。そして、係る底板６と断熱壁４間に前下部から後上部に渡る冷却室１７が構成され、高位部４Ｂ上の冷却室１７内に冷却装置Ｒの冷凍サイクルを構成する冷却器１８が横設されると共に、縦壁部４Ｃの前側中央の冷却室１７内に送風機１９が設けられている。
【００２０】
また、冷却室１７内には冷却器１８の上面から縦壁部６Ｃの上部に渡る冷却器仕切板２１が取り付けられており、この冷却器仕切板２１と底板６間には間隔が形成されている。底板６の縦壁部６Ｃの上端には商品落下防止用のガード６Ｄが一体に立設されており、その下側には下部吐出口２２が形成されている。そして、前記冷却器仕切板２１はこの下部吐出口２２の下縁に連続し、これによって、冷却器仕切板２１と底板６間に、冷却器１８の後方から下部吐出口２２に渡る下部吐出ダクト２３が構成されている。尚、２４は送風機１９の周囲に取り付けられたファンケースである。
【００２１】
更に、底板６の縦壁部６Ｃも上部が少許後退した傾斜壁とされているが、その前面には下部吐出口２２を隠蔽する吐出ガイド２６が取り付けられ、下方に開放しており、また、下部吐出口２２の下方には突起２７が一体に形成されている。底板６の低位部６Ａも後方に緩やかに低く傾斜しているが、その前部は斜め前下方に屈曲され、そこに吸込口２９が形成されている（図６）。そして、この吸込口２９の前側には実開平５−４３４５８号公報に示される如き構造の平面蛍光ランプ３１が立設され、陳列室１３の開口１２の下縁に位置している。この平面蛍光ランプ３１は前後方向に光を照射すると共に、その前面には所定の広告表示が施されている。
【００２２】
また、底板６の高位部６Ｂも後方に高くなるよう緩やかに傾斜しているが、その後端部は階段状に降下しており、冷却器１８の後側に位置する後壁部３３には連通孔３２が形成されている。尚、この連通孔３２が形成された底板６の後壁部３３は上部が前側となる傾斜面とされている。
【００２３】
一方、扉１１は硬質樹脂製の外面板３６と内面板３７間に断熱材３８を装填して構成され、例えば後から見て右側の上下をヒンジ３９にて天板８と底板６に回動自在に枢支されている。また、断熱材３８と内面板３７間には間隔が構成され、そこに上下に渡る後部ダクト４１が形成されており、この後部ダクト４１の上端と下端に位置する内面板３７の上面３７Ａ、下面３７Ｂには連通孔４２、４３がそれぞれ形成されている。そして、下側の連通孔４３は扉１１を閉じたときに底板６の連通孔３２に合致する。
【００２４】
この場合、連通孔４３周囲の内面板３７の下面３７Ｂは、上部が前側となる傾斜面とされ、扉１１を閉じたときに底板６の後壁部３３に密接する形状とされている。これにより、連通孔３２と４３は略キッチリと合致することになると共に、扉１１の開閉にも支障が生じなくなる（図７）。尚、４７は内面板３７の周囲に取り付けられたガスケットである。
【００２５】
他方、天板８の内側にも断熱材４８が取り付けられており、この断熱材４８の下側には間隔を存して内面板４９が取り付けられ、この内面板４９と断熱材４８間に天部ダクト５１を構成している。内面板４９の後部は降下した後、上方向に折り返された形状を呈しており、この天部ダクト５１の後下端に位置する内面板４９の後下面４９Ａには連通孔５３が形成されている。そして、扉１１の上側の連通孔４２は扉１１を閉じたときに内面板４９の連通孔５３に合致する。
【００２６】
この場合、連通孔５３周囲の内面板４９の後下面４９Ａは、後部が上側となる傾斜面とされ、扉１１を閉じたときに扉１１の上面３７Ａに密接する形状とされている。これにより、連通孔４２と５３は略キッチリと合致することになると共に、扉１１の開閉にも支障が生じなくなる（図８）。尚、ガスケット４７は扉１１で後面の開口９を閉じた状態で天板８、底板６及び側板７、７に密着してシールする。
【００２７】
また、天部ダクト５１の前端は前下方に向けて開放し、そこに上部吐出口６１が形成されている。これにより、扉１１を閉じた状態では、下部の吸込口２９から冷却室１７に至り、冷却室１７から後部ダクト４１及び天部ダクト５１に渡って上部吐出口６１に至る一連の冷気循環ダクトが構成されることになる。
【００２８】
次に、機械室１４内の構成を説明する。ユニットベース３の前面及び左右側面にはスリット状の排気口３Ａが複数段形成されており、後面は開口されている。そして、この開口を前記後パネル２にて開閉自在に閉塞している。
【００２９】
係るユニットベース３内に構成された機械室１４内には、前記冷却器１８と共に冷却装置Ｒの冷凍サイクルを構成する圧縮機６３、凝縮器６４、キャピラリチューブ（減圧装置）６６が設置され、更に、制御基板などを収納する電装箱６７や蒸発皿６８、凝縮器用送風機６９なども設置されている。
【００３０】
この場合、図９に示す如く圧縮機６３は機械室１４内の向かって右奥部に設置されており、凝縮器６４は向かって左奥部に設置され、凝縮器用送風機６９はその前側に対向して設けられている。尚、６３Ｄは圧縮機６３の吐出配管、６３Ｓは吸込配管である。前述の如く断熱壁４は前部に低位部４Ａを、また、後部に高位部４Ｂを備えているので、機械室１４の高さは前部が低く、後部が高い寸法となる。従って、この高さの高い部分を利用して寸法の嵩む圧縮機６３と凝縮器６４が並設されている。
【００３１】
また、凝縮器６４と凝縮器用送風機６９は略門型の取付板７２によってユニットベース３の底面から浮かせて取り付けられており、蒸発皿６８はこれら凝縮器６４と凝縮器用送風機６９の下側に後面の開口から挿脱自在に挿入されている。尚、７３は蒸発皿６８内に収納された蒸発板であり、吸水性の部材から構成され、後述するドレン水の蒸発を促進させるものである。
【００３２】
更に、後パネル２の凝縮器６４に対応する部分（後から見て右側）にはフィルタ７４が取り付けられた吸気口２Ａが形成されている。また、前記送風機１９を駆動するモータ１９Ｍは断熱壁４の縦壁部４Ｃの後側の機械室１４内に取り付けられ、圧縮機６３と凝縮器６４の間に配置されている。そして、モータ１９Ｍの回転軸は縦壁部４Ｃを貫通して送風機１９に連結されている。
【００３３】
更にまた、断熱壁４の高位部４Ｂの前部向かって左側には排水口７６が形成されており、この排水口７６からはドレンホース７７が断熱壁４を貫通して垂下し、その下端は蒸発皿６８上に開口されている。冷却器１８から滴下するドレン水（除霜水や露）は高位部４Ｂ上を伝って流下し、排水口７６に流入する。そして、排水口７６からドレンホース７７に流入し、蒸発皿６８内に排出されるものである。
【００３４】
このように、圧縮機６３、凝縮器６４、凝縮器用送風機６９、蒸発皿６８、電装箱６７、モータ１９Ｍなどを配置しているので、狭い機械室１４内に支障無く整理して各機器を設置することができる。
【００３５】
次に、図１０〜図１４を参照して側板７の構造を説明する。この場合、図１２は向かって左側の側板７を示し、それ以外は右側の側板７を示している。尚、左右の側板７は左右対称形状で基本的には同一の構造である。側板７は上下方向の補強板８１と、透明な硬質合成樹脂製の外側板８２及び内側板８３とから構成されている。
【００３６】
前記外側板８２及び内側板８３の下縁はユニットベース３の上面形状に略合致しており、前面は天板８から前下方のユニットベース３前部に向かって緩やかに湾曲しながら降下する形状を呈し、それによって陳列室１３の側面をカバーする。そして、補強板８１はユニットベース３の両側後部の切欠３Ｂを貫通して機械室１４内に入り、ユニットベース３及び又はアングル１６後部に螺子止めされると共に、補強板８１、８１の上端間に天板８は連結される。
【００３７】
この場合、外側板８２と内側板８３はそれらの後部で補強板８１を挟むかたちで相互に重合され、周縁部では相互に固着されると共に、補強板８１には螺子止めされる。このとき、外側板８２と内側板８３間には空気層Ｇが形成され、断熱性を向上させている。
【００３８】
また、外側板８２及び内側板８３の補強板８１に被さる部分には、上下に渡って外側に張り出した張出部８２Ａ、８３Ａがそれぞれ形成されており、外側板８２の張出部８２Ａと補強板８１間には上下に渡る排気ダクト８６が形成される。この排気ダクト８６の下端は機械室１４内に連通しており、上端は天板８が被さって閉塞されている。また、排気ダクト８６の前面となる張出部８２Ａの前面８２Ｂには上下に渡って複数の排気吐出口８７・・・が穿設されている。
【００３９】
尚、内側板８３には空気層Ｇ内の曇りを防止するためのアスピレータ８８が数カ所穿設されている。また、天板８を取り付ける前の補強板８１と外側板８２間の排気ダクト８６は図１０に示す如く上方に開放しているので、そこから張出部８２Ａと補強板８１間に着色した短冊状の板や広告表示を施した短冊状パネルを挿入することによって外観や販売効果の向上を図ることが可能となる。
【００４０】
また、内側板８３の張出部８３Ａには図１２に示す如く前下方に少許傾斜した棚受け８９・・・が実施例では上下に四段一体に形成されている。この棚受け８９・・・は対向する側板７方向及び後方に開放しており、後面の開口９から透明硬質樹脂製の棚９１を差し込む。これにより、図５に示す如く棚９１が陳列室１３内に架設されている。
【００４１】
以上の構成のオープンショーケース１は図１５に示す如くコンビニエンスストアのレジカウンタＣ上に載置される。そして、陳列室１３内にはドリンク剤や缶飲料などの商品Ｖを収納し、陳列する。この場合、底板６の縦壁部６Ｃ前側の低位部６Ａ上には前面の開口１２から図５の如く商品Ｖを並べる。これにより、低位部６Ａ上は最下段の陳列面となる。このとき、低位部６Ａは後方に少許低く傾斜しているので、商品Ｖは前側に倒れること無く後側の突起２７や吐出ガイド２６に寄りかかるかたちとなる。
【００４２】
一方、中段（棚９１を架設しない場合には最上段となる）の陳列面となる底板６の高位部６Ｂや最上段の陳列面となる棚９１上には後面の扉１１を開いて開口９から商品Ｖを収納する。このとき、高位部６Ｂや棚９１は前側に低く少許傾斜しているので、商品Ｖは後方から順次円滑に収納できる。また、高位部６Ｂや棚９１は前部が低くなっていることから顧客は商品Ｖを見やすくなると共に、顧客が最前列の商品Ｖを取り出した場合には自動的にその後の商品Ｖが最前列に移動するようになる。
【００４３】
そして、電源を投入して運転を開始すると、先ず平面蛍光ランプ３１が点灯して前方に広告文字などを浮き上がらせ、且つ、後方の陳列室１３内を照明する。また、圧縮機６３、送風機１９（のモータ１９Ｍ）、凝縮器用送風機６９が運転されると、圧縮機６３の吐出配管６３Ｄから吐出された高温高圧のガス冷媒は凝縮器６４に流入し、そこで凝縮器用送風機６９によって通風される外気によって凝縮液化される。凝縮された液冷媒はキャピラリチューブ６６で減圧された後、冷却器１８に流入して蒸発する。
【００４４】
このときに冷却室１７内の空気から熱を奪って冷却効果を発揮する。冷却器１８から出た冷媒は吸込配管６３Ｓから圧縮機６３に吸い込まれ、再び圧縮される。そして、送風機１９が運転されると、図５〜図８に矢印で示す如く、吸込口２９側から空気を吸引して冷却器１８方向に吐出する。前述の如く冷却器１８と熱交換して冷却された冷却室１７内の冷気は、連通孔３２から出て連通孔４３から後部ダクト４１内に入る。そして、後部ダクト４１内を上昇し、連通孔４２、５３を経て天部ダクト５１に入って前方に移動した後、吐出口６１から陳列室１３の前面開口１２に向けて吐出される。
【００４５】
吐出口６１から吐出された冷気は開口１２にエアーカーテンを形成しながら吸込口２９に向かい、平面蛍光ランプ３１に案内されて送風機１９の吸引力により吸込口２９に吸い込まれる。そして、エアーカーテンの一部が陳列室１３内に循環されて陳列室１３内は所定温度に冷却される。また、冷却器１８から出た冷気の一部は下部吐出ダクト２３に入り、そこを前方に移動して下部吐出口２２から縦壁部６Ｃ前方に吐出される。
【００４６】
吐出口６１からの距離が遠くなる最下段の陳列面の低位部６Ａ上は冷却効果が低下し勝ちとなるが、前述の如く下部吐出口２２から直接冷気を供給するため、係る冷却不足は解消される。また、下部吐出口２２には吐出ガイド２６が設けられ、その下方には突起２７が形成されているので、下部吐出口２２からの冷気吐出や冷気循環が低位部６Ａ上の商品Ｖで阻害されることも無い。
【００４７】
ここで、オープンショーケース１のユニットベース３の底面、即ち設置面から天板８の上面までの高さ寸法Ｌ１は７００ｍｍ〜７５０ｍｍ（実施例では７１５ｍｍ）に設定され、最下段の陳列面（低位部６Ａ）までの高さ寸法Ｌ２は１００ｍｍ以上２００ｍｍ以下の範囲（実施例では１４９ｍｍ）に設定されている。また、設置面から平面蛍光ランプ３１上端までの高さ寸法Ｌ３は２００ｍｍ〜２１０ｍｍ（実施例では２０５ｍｍ）に設定され、設置面から中段の陳列面（高位部６Ｂ）までの高さ寸法Ｌ４は３００ｍｍ以上４００ｍｍ以下の範囲（実施例では３０４ｍｍ）に設定されている。
【００４８】
更に、設置面から最上段の陳列面（棚９１）までの高さ寸法Ｌ５は４００ｍｍ以上７００ｍｍ以下の範囲（実施例では４８９ｍｍ）に設定され、設置面から天板８前端までの高さ寸法Ｌ６は６５０ｍｍ〜７００ｍｍ（実施例では６６８ｍｍ）に設定されている。また、オープンショーケース１の前後寸法Ｌ７は４５０ｍｍ以上５５０ｍｍ以下（実施例では４９０ｍｍ）に設定されている。
【００４９】
ここで、コンビニエンスストアに設けられるレジカウンタＣの高さは通常８００ｍｍ〜１０００ｍｍであり、その奥行き５５０ｍｍ程である。従って、本発明のオープンショーケース１によれば、安定してレジカウンタＣ上に設置し、陳列室１３内において商品Ｖを冷却しながら陳列することができるようになる。これにより、特にレジカウンタＣの近傍で販売したいドリンク剤や缶飲料などの商品Ｖの購買意欲を促進し、売上向上に寄与することが可能となる。
【００５０】
また、オープンショーケース１をレジカウンタＣ上に設置した場合、床から最下段の陳列面（低位部６Ａ）までの高さは９００ｍｍ〜１２００ｍｍの範囲の高さとなる。これにより、最下段の陳列面（低位部６Ａ）の高さは顧客の略腰から胸にかけての範囲となり、最下段の商品Ｖの視認性が向上すると共に、取り出しやすくなる。
【００５１】
更に、中段の陳列面（高位部６Ｂ）から最上段の陳列面（棚９１。棚９１を架設しない場合には高位部６Ｂとなる）の高さは設置面から３００ｍｍ以上７００ｍｍ以下の範囲となるので、同様にオープンショーケース１をレジカウンタＣ上に設置した場合、床から最上段の陳列面（棚９１或いは高位部６Ｂ）までの高さは１１００ｍｍ〜１７００ｍｍの範囲の高さとなる。これにより、最上段の陳列面の高さは顧客の略腹から顔にかけての範囲となり、最上段の商品Ｖの視認性も向上すると共に、取り出しやすくなる。
【００５２】
また、前述の如く断熱壁４の階段形状によって機械室１４の高さは前部が低く後部が高くなるよう構成されているので、最下段の陳列面（低位部６Ａ）を低く設定しながら、圧縮機６３や凝縮器６４などの寸法の嵩む機器を機械室１４内後部に据え付けることが可能となる。
【００５３】
他方、凝縮器用送風機６９が運転されると、後パネル２の吸気口２Ａから外気が吸引され、凝縮器６４に通風した後、前方の蒸発皿６８に吹き付けられる。これによって、蒸発皿６８内のドレン水は蒸発される。また、凝縮器６４を空冷して温度上昇した暖気や圧縮機６３から生じる暖気は、一部はユニットベース３周囲の排気口３Ａから外部に流出するが、残りはユニットベース３の両側後部の切欠３Ｂ部分に至り、残りのうちの一部は当該切欠３Ｂから外部に流出すると共に、残りのうちのその他は側板７、７の排気ダクト８６内に流入する（図１０）。
【００５４】
切欠３Ｂから流出した暖気は側板７下部の外側板８２外面に流れて吸込口２９付近で結露しやすい部分を暖め、結露を防止する。また、排気ダクト８６内に流入した暖気は、図１０に示す如くそこを上昇してやがて前面の排気吐出口８７・・・から前方の外側板８２外面に向けて流出する。これにより、陳列室１３内の温度によって結露し易い外側板８２の外面を暖め、結露を防止若しくは解消することができるようになる。
【００５５】
ここで、排気ダクト８６の上端は天板８により閉塞されているので、排気ダクト８６上部の圧力（静圧）は上昇し、それにより、上方の排気吐出口８７程、流出する暖気量は多くなる。従って、吐出口６１の近傍で最も結露しやすくなる外側板８２外面上部に暖気を優先的に供給し、結露を効果的に解消することが可能となる。
【００５６】
尚、上記実施例で示した寸法などの各数値は、それに限られるものでは無く、コンビニエンスストアのレジカウンタなどの卓上に設置するのに好適な範囲で種々変更可能である。また、実施例では断熱壁４の下側に機械室１４を構成し、そこに冷却装置Ｒの圧縮機６３などを設置したが、これら圧縮機や凝縮器を別置き式としてオープンショーケース内の冷却器１８と冷媒配管で連結し、圧縮機などはレジカウンタ内に設置する方式としても良い。
【００５７】
【発明の効果】
以上詳述した如く本発明によれば、断熱壁とこの断熱壁の両側に取り付けられた側板とにより囲繞される空間に陳列室を構成して成るオープンショーケースにおいて、側板は、補強板と、この補強板を挟むかたちで重合された透明な外側板及び内側板とからの簡単な構成とされているため、側板の組立作業性を向上させることができる。
【００５８】
また、本発明は上記に加えて、これら外側板及び内側板は補強板に固定され、且つ、それらの縁部が相互に固着されると共に、外側板及び内側板間には空気層が形成されているので、側板の強度を向上させることができると共に、外側板及び内側板間に形成された空気層により断熱性を向上させることができ、更に、側板に結露が生じることを未然に防止することができる。
【００５９】
更に、本発明では断熱壁の下部には機械室が構成されると共に、外側板の内側にはダクトが構成され、このダクトは、下部が機械室内に連通し、上部は外側板表面に向けて開口する吐出口に連通しているので、機械室に配設される圧縮機や凝縮器の廃熱をダクトを介して吐出口から外側板表面に廃棄することができる。
【００６０】
これにより、外側板表面に生じる結露を防止するために特別に電気ヒータを設けることなく機械室から排出される廃熱を利用して外側板表面の結露防止を行うことができるようになる。
【００６１】
特に、本発明では補強板と外側板間に上下に貫通した間隔を構成し、この間隔を前記ダクトとしたので、間隔内に着色した短冊状の板や広告表示を施した短冊状パネルを挿入することによって外観や販売効果の向上を図ることができると共に、側板のカラーバリエーションを構成することができるようになる。
【００６２】
請求項２の発明によれば、上記に加えて内側板には棚受けを一体に形成したので、簡単な構成にて陳列室内の棚の架設を行うことができるようになる。
【図面の簡単な説明】
【図１】  本発明のオープンショーケースの正面図である。
【図２】  本発明のオープンショーケースの側面図である。
【図３】  本発明のオープンショーケースの背面図である。
【図４】  本発明のオープンショーケースの後パネルを除く背面図である。
【図５】  本発明のオープンショーケースの縦断側面図である。
【図６】  本発明のオープンショーケースの断熱壁前部の拡大縦断側面図である。
【図７】  本発明のオープンショーケースの断熱壁後部の拡大縦断側面図である。
【図８】  本発明のオープンショーケースの天板後部の拡大縦断側面図である。
【図９】  本発明のオープンショーケースの機械室部分の平断面図である。
【図１０】  本発明のオープンショーケースの向かって右側の側板の側面図である。
【図１１】  図１０の側板の側面図である。
【図１２】  本発明のオープンショーケースの向かって左側の側板の側面図である。
【図１３】  図１０の側板の正面図である。
【図１４】  図１０の側板の平断面図である。
【図１５】  本発明のオープンショーケースをレジカウンタ上に設置した状態の側面図である。
【符号の説明】
１  オープンショーケース
３  ユニットベース
３Ｂ  切欠
４  断熱壁
６  底板
６Ａ  低位部（最下段の陳列面）
６Ｂ  高位部（中段若しくは最上段の陳列面）
７  側板
８  天板
９、１２  開口
１１  扉
１３  陳列室
１４  機械室
１６  アングル
１７  冷却室
１８  冷却器
１９  送風機
２２  下部吐出口
２９  吸込口
４１  後部ダクト
５１  天部ダクト
６１  吸込口
８１  補強板
８２  外側板
８２Ａ、８３Ａ  張出部
８３  内側板
８６  排気ダクト
８７  排気吐出口
９１  棚（最上段の陳列面）
Ｃ  レジカウンタ
Ｇ  空気層
【図１】
0003889537.tif 000002
【図２】
0003889537.tif 000003
【図３】
0003889537.tif 000004
【図４】
0003889537.tif 000005
【図５】
0003889537.tif 000006
【図６】
0003889537.tif 000007
【図７】
0003889537.tif 000008
【図８】
0003889537.tif 000009
【図９】
0003889537.tif 000010
【図１０】
0003889537.tif 000011
【図１１】
0003889537.tif 000012
【図１２】
0003889537.tif 000013
【図１３】
0003889537.tif 000014
【図１４】
0003889537.tif 000015
【図１５】
0003889537.tif 000016